(57)【特許請求の範囲】
【請求項１】
注出ノズルと、注出ノズルに着脱自在に装着される栓を備えた栓付き注出ノズルであって、注出ノズルが、先端開口面が注出ノズルの中心軸に対して傾いている斜め注出ノズルであり、栓が、有底筒状の外筒部と該外筒部内に垂下している柱状部を有し、該柱状部は、その表面に、斜め注出ノズルの筒状部の内側面と液シール部を形成する環状凸部を有し、外筒部と柱状部との間隙に斜め注出ノズルの筒状部が嵌められることにより斜め注出ノズルが閉じられる栓付き注出ノズル。
【請求項２】
栓が、複数の環状凸部を有する請求項１記載の栓付き注出ノズル。
【請求項３】
栓が斜め注出ノズルに装着された状態で、斜め注出ノズルの筒状部の下部と上部にそれぞれ液シール部を形成する環状凸部を有する請求項２記載の栓付き注出ノズル。
【請求項４】
有底筒状の外筒部の内側面と斜め注出ノズルの外側面とが螺合する請求項１〜３のいずれかに記載の栓付き注出ノズル。
【請求項５】
斜め注出ノズルが、液状物を収容する詰替容器本体の口部に装着されるキャップ本体から起立している請求項１〜５のいずれかに記載の栓付き注出ノズル。
【請求項６】
液状物を収容する詰替容器本体と、請求項５記載の栓付き注出ノズルを備えた詰替容器。
【発明の詳細な説明】
【技術分野】
【０００１】
液状物の詰替容器に好適な栓付きノズルに関する。
【背景技術】
【０００２】
化粧水、乳液、洗浄剤などの液状物を収容する本容器について、省資源化や製品の低価格化の点から、本容器を繰り返し使用可能とするために、内容物を詰替容器から本容器に詰め替えることが行われている。
【０００３】
詰替容器としては、一般に、パウチや薄肉のボトルが使用される。詰替時には、詰替容器の吐出口が本容器の口部上に位置するように詰替容器を把持し、詰替容器の傾きを徐々に大きくすることにより内容物が本容器に移し替えられる。
【０００４】
しかしながら、詰替容器がパウチの場合に、パウチから吐出させる内容物が本容器の口部から外れないようにするためには、パウチの把持に相当の注意が必要であり、煩雑となる。ボトルはパウチよりも詰替時の把持が容易であるが、空気置換が円滑に行われないために内容物が脈打つように吐出し、内容物が不用に泡立つなどの問題が引き起こされる場合がある。
【０００５】
一方、詰替容器の吐出口を開封して詰替容器から本容器に適量の内容物を吐出させた後、なお、詰替容器に内容物が残り、詰替容器の吐出口を再度閉じたい場合がある。そこで、詰替容器の吐出口をリシールできるようにするため、先端が閉じた円筒状ノズルをパウチに設け、その円筒状ノズルの先端部を破断して分離することにより円筒状ノズルを開口して内容物の吐出を可能とし、かつ、分離した先端部を円筒状ノズルの栓として使用することが提案されている（特許文献１）。
【０００６】
しかしながら、この円筒状ノズルにおいても、内容物が脈打つように吐出するという吐出状態の問題は解決されない。
【先行技術文献】
【特許文献】
【０００７】
【特許文献１】特許４４６２４７５号公報
【発明の概要】
【発明が解決しようとする課題】
【０００８】
本発明は、液状物を詰替容器から本容器に詰め替えるにあたり、液状物が吐出口から脈打つように吐出することを防止あるいは抑制し、かつ詰替容器の吐出口のリシールを可能とすることを目的とする。
【課題を解決するための手段】
【０００９】
本発明者は、詰替容器の吐出口として、先端開口面が注出ノズルの中心軸に対して傾いている斜め注出ノズルを用いると、詰替容器から液状物が脈打つように吐出することを防止あるいは抑制することができ、さらに斜め注出ノズルの筒状部内に挿入されて斜め注出ノズルの内側面と液シール部を形成する柱状物が斜め注出ノズルの栓として有効であることを見出した。
【００１０】
即ち、本発明は、注出ノズルと、注出ノズルに着脱自在に装着される栓を備えた栓付き注出ノズルであって、注出ノズルが、先端開口面が注出ノズルの中心軸に対して傾いている斜め注出ノズルであり、栓が、斜め注出ノズルの筒状部内に挿入される柱状部を有し、該柱状部の表面に、斜め注出ノズルの筒状部の内側面と液シール部を形成する環状凸部を有する栓付き注出ノズルを提供する。
【００１１】
また、液状物を収容する詰替容器本体と、上述の栓付き注出ノズルを備えた詰替容器を提供する。
【発明の効果】
【００１２】
本発明の栓付き注出ノズルによれば、注出ノズルが、先端開口面が注出ノズルの中心軸に対して傾いた斜め注出ノズルであるため、詰替時に液状物が脈打つように吐出することを抑制し、滑らかな吐出状態を得ることができる。
【００１３】
また、本発明の栓付き注出ノズルによれば、斜め注出ノズルに着脱自在に装着される栓を備え、その栓の柱状部は、斜め注出ノズルの筒状部内に挿入され、斜め注出ノズルの筒状部の内側面と液シール部を形成するので、注出ノズルが斜め注出ノズルであっても良好にリシールすることが可能となる。
【００１４】
したがって、本発明の栓付き注出ノズルを備えた詰替容器によれば、内容物を滑らかな吐出状態で本容器に移し、かつ、本容器に移しきれなかった内容物を詰替容器にそのまま密封保管することが可能となる。
【図面の簡単な説明】
【００１５】
【図１Ａ】図１Ａは、実施例の栓付き注出ノズルを備えた詰替容器の斜視図である。
【図１Ｂ】図１Ｂは、図１Ａの栓付き注出ノズルの断面図である。
【図２】図２は、実施例の栓付き注出ノズルの変形例の断面図である。
【図３】図３は、実施例の栓付き注出ノズルの変形例の断面図である。
【図４Ａ】図４Ａは、さらに異なる実施例の栓付き注出ノズルの斜視図である。
【図４Ｂ】図４Ｂは、図４Ａの栓付き注出ノズルの断面図である。
【図５】図５は、さらに異なる栓付き注出ノズルの断面図である。
【図６Ａ】図６Ａは、詰替容器の使用方法の説明図である。
【図６Ｂ】図６Ｂは、詰替容器の使用方法の説明図である。
【発明を実施するための形態】
【００１６】
以下、図面を参照しつつ、本発明を詳細に説明する。なお、各図中、同一符号は、同一又は同等の構成要素を表している。
【００１７】
図１Ａは、本発明の一実施例の詰替容器１の斜視図である。この詰替容器１は、詰替容器本体２が有底筒状のブロー成形ボトルからなる。詰替容器本体２の上部の口部には、本発明の一実施例の栓付き注出ノズル１０Ａが装着されている。図１Ｂは、この栓付き注出ノズルの断面図である。
【００１８】
栓付き注出ノズル１０Ａは、詰替容器本体２の口部に螺合するキャップ本体１１と、キャップ本体１１の天面から起立した斜め注出ノズル１２を備えている。斜め注出ノズル１２は、先端開口面１３が注出ノズルの中心軸Ｌ0に対して傾いている。この先端開口面１３の傾きとしては、注出液の脈打ちを抑制する点から、図１Ｂに示すように、先端開口面１３の中央部と注出ノズルの中心軸Ｌ0とがなす角θを３０〜６０°とすることが好ましい。
【００１９】
また、斜め注出ノズル１２の内側面の下端部には、栓２０Ａが過度に斜め注出ノズル１２内に押し込まれることを防止するリブ１５が突出している。
【００２０】
斜め注出ノズル１２には栓２０Ａが着脱自在に装着される。この栓２０Ａは、斜め注出ノズル１２の先端開口面１３よりも基部側の筒状部１４に挿入される柱状部２１と、柱状部２１の上面に延設された引っ張り部２４を有する。柱状部２１は、該柱状部２１が斜め注出ノズル１２の筒状部１３に挿入された状態で斜め注出ノズル１２の筒状部１３の上部と下部にそれぞれ液シール部Ｓａ、Ｓbを形成する環状凸部２２a、２２ｂを有する。この環状凸部２２ａ、２２ｂは、その間に縮径部２３を設けることにより形成されており、縮径部２３は、断面Ｖ字型の溝が柱状部２１の周方向に形成されたものとなっている。
【００２１】
このように、柱状部２１に縮径部２３を挟んで環状凸部２２a、２２ｂを設けることにより、斜め注出ノズル１２の筒状部１４が上下２段の液シール部Ｓａ、Ｓbで密封されるようにすると、栓２０Ａを、斜め注出ノズル１２に装着して内部を密閉している状態から引き抜くにあたり、液シールが段階的に解除されるので、栓２０Ａへの引っ張り力を強めていったときに或る時点で急激に栓２０Ａが抜けることを防止でき、滑らかに栓２０Ａを抜けるようになる。なお、図１Ａにおいて二点鎖線は引き抜いた栓２０Ａの斜視図である。
【００２２】
本発明においては、栓２０Ａの着脱時に環状凸部２２ａ、２２ｂが筒状部１４内を滑らかに移動するように、環状凸部２２ａ、２２ｂとしては、縮径部２３の最小径の部分から柱状部２１の径を滑らかに増大させたものが好ましい。従って、環状凸部２２ａ、２２ｂの間に位置する縮径部２３としては、上述した断面Ｖ字型の溝に限らず、例えば、図２に示す栓付き注出ノズル１０Ｂの栓２０Ｂのように、断面Ｕ字型の溝を柱状部２１の周方向に形成したものでもよい。
【００２３】
また、柱２０Ａの柱状部２１に設ける環状凸部は上下２段に限らず、１段のみ設けても良く、３段以上を設けても良いが、栓２０Ａを滑らかに引き抜けるようにする点からは、複数段設けることが好ましい。例えば、図３に示す栓付き注出ノズル１０Ｃの栓２０Ｃのように、柱状部２１の周方向に延びた断面Ｕ字型の溝２３ａ、２３ｂを、柱状部２１に２段設けることにより、３段の環状凸部２２ａ、２２ｂ、２２ｃを形成し、これらの３段の環状凸部２２ａ、２２ｂ、２２ｃにより三重に液シール部Ｓａ、Ｓｂ、Ｓｃが形成されるようにしてもよい。
【００２４】
引っ張り部２４は、指を掛けることのできるリング部２５と、該リング部２５と柱状部２１の上面とを連結する連結部２６からなる。リング部２５の上端面の位置は、栓２０ＡＡを斜め注出ノズル１２に装着した状態で、斜め注出ノズル１２の先端部以下とすることが好ましい。これにより、栓２０Ａを装着した詰替容器１が落下し、斜め注出ノズル１２の先端部側から床面に衝突しても、栓２０Ａの引っ張り部２４が損傷したり、栓２０Ａが斜め注出ノズル１２内に過度に押し込まれて液シールが破れることを防止できる。
【００２５】
また、栓２０Ａは、栓２０Ａを斜め注出ノズル１２に装着した状態で、液シール部Ｓa、Ｓbで確実に液シールをすることができ、また、栓２０Ａの装着時の押し込みと、脱着時の引き抜きが滑らかに行える材料から形成することが好ましい。
【００２６】
栓付き注出ノズル１０Ａを備えた図１Ａの詰替容器１は、図６Ａ、図６Ｂに示すように内容物の詰替に使用される。ここで、図６Ａ中、符号４０は、詰替容器１から内容物を移される本容器の容器本体である。この容器本体４０の口部には、所定の吐出装置を備えた本容器のキャップ（図示せず）が装着される。また、詰替容器１には、本容器の容器本体４０に詰め替える内容液Ａが充填されている。
【００２７】
内容物の詰替に際しては、まず、詰替容器１の栓２０Ａのリング部２５に指を掛け、栓２０Ａを栓付き注出ノズル１０Ａから引き抜き、斜め注出ノズル１２を開口する。次いで、図６Ａに示すように、本容器の容器本体４０の口部４１に斜め注出ノズル１２を差し掛け、さらに図６Ｂに示すように、斜め注出ノズル１２を口部４１に挿入し、詰替容器１を倒立させ、詰替容器１と本容器の容器本体４０とを自立させる。詰替容器１や本容器の容器本体４０が自立可能な柱状容器であると、このような詰替作業の間に詰替容器１や本容器の容器本体４０を格別把持する必要がなく、詰替作業の手間を大いに軽減することができる。さらに、詰替容器の吐出口が斜め注出ノズル１２であるため、注出時に空気置換が円滑に行われる。このため、注出時に内容液Ａが脈打つことを抑え、詰替容器１から本容器の容器本体４０へ内容液Ａを滑らかに詰め替えることができる。したがって、内容液Ａがこぼれたり、本容器の容器本体４０内で不用に泡立ったりすることを抑えることができる。この脈打ち抑制効果は、例えば、内容液Ａの粘度が５００ｍＰａｓ〜１００００ｍＰａｓの場合に、斜め注出ノズル１２の内径を１２〜３０ｍｍとし、斜め注出ノズル１２の先端開口面１３の中央部とその中心軸Ｌ0とがなす角θを４０〜５０°とした場合に顕著となる。
【００２８】
本発明の栓付き注出ノズルは、さらに種々の態様をとることができる。例えば、図４Ａに示す栓付き注出ノズル１０Ｄは、栓２０Ｄの柱状部２１にリブ状の環状凸部２２ａ、２２ｂを二段有し、この二段のリブ状の環状凸部２２ａ、２２ｂと、注出ノズル１０Ｄの筒状部１４とで液シール部Ｓa、Ｓbが形成されるようにしたものである。
【００２９】
二段の環状凸部２２ａ、２２ｂの間に前述の栓２０Ａのような縮径部２３（図１Ｂ）は設けられておらず、全体として略円柱状となっている。
【００３０】
また、栓２０Ｄは、有底筒状の外筒部２７を有し、外筒部２７の天板部２８から外筒部２７内に柱状部２１が垂下している。
【００３１】
この栓２０Ｄによれば、外筒部２７と柱状部２１との間の環状溝部に斜め注出ノズル１２を嵌め、外筒部２７の天板部２８を押し込むことにより、容易に栓２０Ｄを斜め注出ノズル１２に装着し、斜め注出ノズル１２を閉じることができる。また、外筒部２７を把持して引き上げることにより、容易に栓２０Ｄを斜め注出ノズル１２から脱着させることができる。
【００３２】
図５はさらに異なる栓付き注出ノズル１０Ｅの断面図である。この栓付き注出ノズル１０Ｅにおいては、外筒部２７の内側面と、斜め注出ノズル１２の外側面とが着脱自在に螺合するものとなっている。また、栓２０Ｅの柱状部２１には、一段の環状凸部２２が設けられ、この環状凸部２２と注出ノズル１０Ｅの筒状部１３とで液シール部Ｓが形成されている。
【００３３】
本発明の栓付き注出ノズルを設ける詰替容器は、ボトル容器に限られず、パウチとしてもよい。この場合にも、斜め注出ノズルから内容液を吐出させることによる脈打ち抑制効果と、斜め注出ノズル内に挿入される栓によるリシール効果を得ることができる。
【産業上の利用可能性】
【００３４】
本発明の栓付き注出ノズルは、化粧水、乳液等の化粧料、ドレッシング等の食品、食器用洗剤等の洗浄剤などの詰替容器の注出ノズルとして有用である。
【符号の説明】
【００３５】
１    詰替容器
２    詰替容器本体
１０Ａ、１０Ｂ、１０Ｃ、１０Ｄ、１０Ｅ    栓付き注出ノズル
１１    キャップ本体
１２    斜め注出ノズル
１３    先端開口面
１４    筒状部
１５    リブ
２０Ａ、２０Ｂ、２０Ｃ、２０Ｄ、２０Ｅ    栓
２１    柱状部
２２、２２a、２２b、２２c    環状凸部
２３、２３a、２３b    縮径部
２４    引っ張り部
２５    リング部
２６    連結部
２７    外筒部
２８    天板部
４０    本容器の容器本体
４１    口部
Ｌ0    注出ノズルの中心軸
Ｓ、Ｓa、Ｓb、Ｓc    液シール部
【図１Ａ】
0005929188.tif 000002
【図１Ｂ】
0005929188.tif 000003
【図２】
0005929188.tif 000004
【図３】
0005929188.tif 000005
【図４Ａ】
0005929188.tif 000006
【図４Ｂ】
0005929188.tif 000007
【図５】
0005929188.tif 000008
【図６Ａ】
0005929188.tif 000009
【図６Ｂ】
0005929188.tif 000010